(57)【要約】【課題】  使用者によるメモ台本体の収納作業時に、所望の位置にてメモ台本体を自動で回転させ、その際のメモ台本体の移動をスムーズにさせる。【解決手段】  収納式メモ台２は、収納部２０から引き出されて使用位置Ｘａにあるメモ台本体１０が、支柱１２を中心として垂直位置Ｙａへ回転するにつれて、コイルバネ５０によりメモ台本体１０に与えられる付勢力が、その回転に伴い小さくならないように、丸棒部材５２（コイルバネ５０の湾曲部材１４側の端）が、湾曲部材１４の後端から先端へ向かって移動するようにされている。このため、ほぼ均一の力でメモ台本体１０をスムーズに持ち上げることができ、コイルバネ５０がメモ台本体１０に与える付勢力を適宜設定することにより、メモ台本体１０を収納部２０に収納する際に、所望の位置からメモ台本体１０を、使用位置Ｘａから垂直位置Ｙａへと回転する方向へ自動で回転させることができる。【選択図】  図６
2007007329.tif 000002
【特許請求の範囲】
【請求項１】
板状のメモ台本体と、
床面に立設された基部に取り付けられ、前記メモ台本体を、その使用面が略直立した状態で上方から収納可能な収納部と、
該収納部の内部にて、その上下方向に沿って配置されたスライドレールと、
該スライドレールに摺動自在に支持されると共に、前記メモ台本体が前記収納部から引き出された際に、そのメモ台本体の使用面が略直立した垂直状態から略水平方向に仰向けとなる水平状態へと回動可能となるよう、前記メモ台本体の一端側を支持する支持部材と、
を備えた収納式メモ台であって、
前記支持部材により支持される前記メモ台本体の一端側から、前記メモ台本体の板面方向に沿って外側に突出され、その先端が前記裏面側から前記使用面側に向かって湾曲するように形成された湾曲部材と、
前記支持部材の下方に連結され、前記支持部材と共に前記スライドレールに対して摺動自在に支持される連結部材と、
前記湾曲部材と前記連結部材とに各端が取り付けられ、前記メモ台本体を、その使用面が前記水平状態から前記垂直状態へと回転する方向に付勢するための付勢部材と、
を備え、
前記付勢部材の前記湾曲部材側の端は、その湾曲部材の先端と後端との間を摺動自在に取り付けられていることを特徴とする収納式メモ台。
【請求項２】
前記収納部の上方には、前記メモ台本体を内部に挿入するための挿入口が形成され、
前記収納部の底部には、前記挿入口から当該収納部の内部に侵入した部材を、床面に落とすための排出口が形成されていることを特徴とする請求項１に記載の収納式メモ台。
【請求項３】
前記収納部の内壁は、当該収納部において、前記メモ台本体を収納した際に該メモ台本体の板厚方向となる当該収納部の幅が、前記挿入口よりも前記排出口の方が狭くなるように形成され、更に、前記排出口に向かって傾斜していることを特徴とする請求項２に記載の収納式メモ台。
【請求項４】
長尺状に形成されて巻き取り可能な長尺部材、該長尺部材をその一端側から巻き取るための巻取部材、及び、該巻取部材を巻き取る方向に付勢する巻取用付勢部材からなる巻取装置を備え、
該巻取装置は、前記長尺部材の他端及び前記巻取部材の一方が、前記支持部材若しくは前記連結部材に取り付けられ、前記長尺部材の他端及び前記巻取部材の他方が、前記収納部の上方に取り付けられることを特徴とする請求項１ないし請求項３の何れか１項に記載の収納式メモ台。
【請求項５】
前記巻取装置の前記巻取部材に取り付けられ、前記巻取部材が前記長尺部材を巻き取る方向とは逆方向に回転する際の前記巻取部材の回転を抑制する回転抑制部材を備えたことを特徴とする請求項４に記載の収納式メモ台。
【請求項６】
前記支持部材及び前記連結部材と前記スライドレールとの係合部に、回転ローラを設けたことを特徴とする請求項１ないし請求項５の何れか１項に記載の収納式メモ台。
【請求項７】
着座者が座るための座部と、
床面に設置され、前記座部を略水平に支持するための椅子本体と、
該椅子本体に支持され、前記座部に座った着座者が背を凭れるための背凭れ部と、
を備えた背凭れ付き椅子であって、
請求項１ないし請求項６の何れか１項に記載の収納式メモ台が、前記背凭れ部の背後に取り付けられていることを特徴とする背凭れ付き椅子。
【請求項８】
椅子を備えた高さの異なる複数段の床台からなり、収納時には、最上段の床台の下方に、他の各床台が順に重なるように収納され、使用時には、最下段の床台が引き出されることにより、各床台が順に展開されて階段状の観覧席を構成する伸縮展開式の移動観覧席において、
前記椅子は、請求項７に記載の背凭れ付き椅子であり、その前方が、前記床台が引き出される方向を向くように配置されていることを特徴とする移動観覧席。
【請求項９】
前記背凭れ付き椅子は、背凭れ部を座部に対して折り畳み可能に構成され、
前記床台とそれに隣接する上下段の床台との上下方向の間隔は、前記背凭れ部が前記座部に対して折り畳まれた状態の背凭れ付き椅子の高さ分だけ開いていることを特徴とする請求項８に記載の移動観覧席。
【請求項１０】
前記背凭れ付き椅子は、座部を背凭れ部に対して折り畳み可能に構成されると共に、椅子本体を前記床台に対して折り畳み可能に構成され、
前記床台とそれに隣接する上下段の床台との上下方向の間隔は、前記座部が前記背凭れ部に対して折り畳まれ、且つ、前記椅子本体が前記床台に対して折り畳まれた状態の背凭れ付き椅子の高さ分だけ開いていることを特徴とする請求項８に記載の移動観覧席。
【発明の詳細な説明】
【技術分野】
【０００１】
本発明は、メモ台本体をその使用面が略直立した状態で上方から収納可能な収納式メモ台、その収納式メモ台が背凭れ部の背後に取り付けられた背凭れ付き椅子、及び、その椅子を備えた移動観覧席に関する。
【背景技術】
【０００２】
従来より、人が背を凭れるための背凭れ部を有する椅子においては、背凭れ部の背後に、その椅子の後部座席の人がノートやペン等の物を置くためのメモ台が収納可能に取り付けられたものがある。
【０００３】
そして、このような背凭れ付きの椅子に取り付けられる収納式メモ台としては、図８に示すように、板状のメモ台本体１００が、その使用面１００ａが略直立した状態で上方から収納部１０２に収納可能にされたものが知られている（例えば、特許文献１参照）。
【０００４】
即ち、この収納式メモ台は、図８及び図９に示すように、板状のメモ台本体１００と、椅子２００における背凭れ部２０２の背後に取り付けられ、メモ台本体１００を、その使用面１００ａが略直立した状態で上方から収納可能な収納部１０２と、収納部１０２の内部にて、その上下方向に沿って配置されたスライドレール１０４と、スライドレール１０４に摺動自在に支持されるスライド金具１０６とを備える。
【０００５】
また、メモ台本体１００には、その使用面１００ａの裏面の一端側に、その板厚方向に沿って外側に延びるように形成されたメモ台受け金具１０８が設けられている。また、メモ台受け金具１０８とスライド金具１０６とは、略円柱状のピンＳを介して接続されており、メモ台本体１００は、収納部１０２から引き出された際に、ピンＳ（詳しくは、ピンＳの中心軸）を中心として、メモ台本体１００の使用面１００ａが略直立した垂直位置Ｙから略水平方向に仰向けとなる水平位置（使用位置）Ｘへと回動可能となるようにされている。
【０００６】
そして特に、この収納式メモ台は、一端１１０ａがスライド金具１０６に取り付けられ、他端１１０ｂがメモ台受け金具１０８に取り付けられた捩りコイルバネ１１０を備えている。
【０００７】
具体的に説明すると、捩りコイルバネ１１０の一端１１０ａは、ピンＳよりも椅子２００側に配置されるようスライド金具１０６に取り付けられている。また、他端１１０ｂは、メモ台本体１００の回転移動によって、そのメモ台本体１００が使用位置Ｘにあるときに一端１１０ａよりも椅子２００側となり、メモ台本体１００が垂直位置Ｙにあるときに一端１１０ａよりも椅子２００側とは反対側となるように、メモ台受け金具１０８に取り付けられている。そして、捩りコイルバネ１１０は、メモ台本体１００が使用位置Ｘから垂直位置Ｙ側へ所定角度だけ傾斜した傾斜位置Ｐまで回転するにつれて徐々に縮んでいき（即ち、両端１１０ａ，１１０ｂ間の距離が徐々に短くなり）、メモ台本体１００がその傾斜位置Ｐから垂直位置Ｙまで回転するにつれて、徐々に伸びていくようにされている。そして更に、捩りコイルバネ１１０は、メモ台本体１００が使用位置Ｘと傾斜位置Ｐとの間にあるときに、メモ台本体１００を、ピンＳを中心として、図９でいう時計回りに回転させる方向に付勢し、メモ台本体１００が傾斜位置Ｐと垂直位置Ｙとの間にあるときには、メモ台本体１００を、ピンＳを中心として、図９でいう反時計回りに回転させる方向に付勢する。
【０００８】
以上説明した収納式メモ台において、使用者がメモ台本体１００を使用する際には、収納部１０２に収納された状態のメモ台本体１００を、収納部１０２から引き出して図９でいう時計回り（手前）に回転させる。
【０００９】
すると、メモ台本体１００が、使用位置Ｘのところまで回転したところで、使用面１００ａの先端が収納部１０２の上方に当接する。そして、このとき、捩りコイルバネ１１０は、メモ台本体１００を図９でいう時計回りに回転させる方向に付勢しているため、メモ台本体１００は、使用位置Ｘで保持される。
【００１０】
これにより、使用者は、メモ台本体１００を使用することができる。
一方、使用状態にあるメモ台本体１００を収納部１０２に収納する際には、捩りコイルバネ１１０がメモ台本体１００を図９でいう反時計回りに回転させる方向に付勢する傾斜位置Ｐまで、メモ台本体１００を持ち上げる。すると、メモ台本体１００には、捩りコイルバネ１１０により、ピンＳを中心として図９でいう反時計回りの回転力が加わり、メモ台本体１００は、自動で垂直位置Ｙまで回転する。その後、メモ台本体１００は、スライド金具１０６がスライドレール１０４を摺動することによって、下方へスライドし、収納部１０２に収納される。
【特許文献１】特許第３４５９２１９号公報
【発明の開示】
【発明が解決しようとする課題】
【００１１】
ところで、従来の収納式メモ台においては、緊急時に人が席からスムーズに離れることができるようにするために、メモ台本体１００を収納部１０２に収納する際の使用者による手作業を、なるべく少なくしたいという要望がある。
【００１２】
しかしながら、従来の収納式メモ台では、捩りコイルバネ１１０がメモ台本体１００を図９でいう反時計回りに回転させる方向に付勢する傾斜位置Ｐまで、メモ台本体１００を持ち上げなければならない。
【００１３】
このため、使用者による手作業をより少なくするためには、その傾斜位置Ｐと使用位置Ｘとのなす角がなるべく小さいところで、捩りコイルバネ１１０がメモ台本体１００を図９でいう反時計回りに回転させる方向に付勢するように、例えば捩りコイルバネ１１０の一端１１０ａを、図９における取り付け位置よりも上方に配置することが考えられる。
【００１４】
しかし、捩りコイルバネ１１０の一端１１０ａを、単に図９における取り付け位置よりも上方に配置しただけでは、使用者による手作業を少なくすることはできるが、捩りコイルバネ１１０がメモ台本体１００に与える付勢力は、メモ台本体１００が起立していくほど弱くなるため、メモ台本体１００は、自動で回転する際に垂直位置Ｙまで回転せずに途中で止まってしまう可能性がある。
【００１５】
また、この問題を解決するためには、捩りコイルバネ１１０の弾性力を強くすれば良いが、この場合、収納作業時にメモ台本体１００が勢いよく回転してしまうため、メモ台本体１００が垂直位置Ｙまで到達したときに他の部材と衝突することで発生する衝撃音が大きくなってしまい、使用者に不快感を与えてしまうことがある。
【００１６】
本発明は、こうした問題を解決するためになされたものであり、使用者によるメモ台本体の収納作業時に、所望の位置にてメモ台本体を自動で回転させると共に、その際のメモ台本体の回転移動をスムーズにさせることが可能な収納式メモ台、その収納式メモ台が背凭れ部の背後に取り付けられる椅子、及び、その椅子を備えた移動式観覧席を提供することを目的としている。
【課題を解決するための手段】
【００１７】
上記目的を達成するためになされた請求項１に記載の発明は、板状のメモ台本体と、床面に立設された基部に取り付けられ、メモ台本体を、その使用面が略直立した状態で上方から収納可能な収納部と、収納部の内部にて、その上下方向に沿って配置されたスライドレールと、スライドレールに摺動自在に支持されると共に、メモ台本体が収納部から引き出された際に、そのメモ台本体の使用面が略直立した垂直状態から略水平方向に仰向けとなる水平状態へと回動可能となるよう、メモ台本体の一端側を支持する支持部材と、を備えた収納式メモ台であって、支持部材により支持されるメモ台本体の一端側から、メモ台本体の板面方向に沿って外側に突出され、その先端が裏面側から使用面側に向かって湾曲するように形成された湾曲部材と、支持部材の下方に連結され、支持部材と共にスライドレールに対して摺動自在に支持される連結部材と、湾曲部材と連結部材とに各端が取り付けられ、メモ台本体を、その使用面が水平状態から垂直状態へと回転する方向に付勢するための付勢部材と、を備え、付勢部材の湾曲部材側の端は、その湾曲部材の先端と後端との間を摺動自在に取り付けられていることを特徴としている。
【００１８】
このような請求項１に記載の収納式メモ台では、メモ台本体が、収納部から引き出されてその使用面が水平状態にあるときに、支持部材によって支持される所定位置を中心として、その使用面が水平状態から垂直状態へと回転する方向に回転すると、付勢部材の湾曲部材側の端が、メモ台本体の回転に従い湾曲部材の後端から先端へ向かって移動するので、付勢部材がメモ台本体に与える付勢力が、その回転に伴い小さくなってしまうのを抑制することができる。
【００１９】
このため、請求項１に記載の収納式メモ台によれば、ほぼ均一の力でメモ台本体をスムーズに持ち上げる（メモ台本体の使用面が水平状態から垂直状態へと回転する方向に回転させる）ことができ、付勢部材がメモ台本体に与える付勢力を適宜設定することにより、メモ台本体を収納部に収納する際に、所望の位置からメモ台本体を、その使用面が水平状態から垂直状態へと回転する方向へ自動で回転させることができる。
【００２０】
よって、使用者によるメモ台本体の収納作業時に、所望の位置にてメモ台本体を自動で回転させると共に、その際のメモ台本体の回転移動をスムーズにさせることができる。
次に、請求項２に記載の収納式メモ台は、請求項１に記載の収納式メモ台において、収納部の上方には、メモ台本体を内部に挿入するための挿入口が形成され、収納部の底部には、挿入口から当該収納部の内部に侵入した部材を、床面に落とすための排出口が形成されていることを特徴としている。
【００２１】
このような請求項２に記載の収納式メモ台によれば、メモ台本体を収納部に収納する際に、例えばメモ台本体に置かれていたペンや紙等の部材が収納部内に侵入してしまったとしても、その部材が収納部内に残ることなく排出口から出てくるので、収納部内に侵入してしまった部材が捕れなくなってしまうことを防止することができる。
【００２２】
ところで、請求項２に記載の収納式メモ台において、排出口は、収納部内に侵入してしまった部材が排出される程度の開口であれば良いため、その大きさは、挿入口よりも小さくても良い。
【００２３】
しかし、このように排出口を挿入口より小さくした場合には、収納部の内壁に段差ができて、収納部内に侵入してしまった部材が、収納部内で引っかかってしまうことが考えられるので、この場合、請求項２に記載の収納式メモ台は、請求項３に記載のように構成されていると良い。
【００２４】
即ち、請求項３に記載の収納式メモ台は、請求項２に記載の収納式メモ台において、収納部の内壁は、当該収納部において、メモ台本体を収納した際にメモ台本体の板厚方向となる当該収納部の幅が、挿入口よりも排出口の方が狭くなるように形成され、更に、排出口に向かって傾斜しているように構成されている。
【００２５】
このような請求項３に記載の収納式メモ台によれば、収納部の内壁が排出口に向かって傾斜しているので、収納部内に侵入してしまった部材が収納部内で引っかかってしまうことを防止することができる。
【００２６】
次に、請求項４に記載の収納式メモ台は、請求項１〜３の何れかに記載の収納式メモ台において、長尺状に形成されて巻き取り可能な長尺部材、長尺部材をその一端側から巻き取るための巻取部材、及び、巻取部材を巻き取る方向に付勢する巻取用付勢部材からなる巻取装置を備え、巻取装置は、長尺部材の他端及び巻取部材の一方が、支持部材若しくは連結部材に取り付けられ、長尺部材の他端及び巻取部材の他方が、収納部の上方に取り付けられることを特徴としている。
【００２７】
つまり、請求項４に記載の収納式メモ台では、巻取装置を設けて、メモ台本体が収納部内を落下したときに、巻取装置が、長尺部材の伸びきったところでメモ台本体を停止するようにされているので、メモ台本体が収納部内を落下する距離を制限することができる。
【００２８】
このため、請求項４に記載の収納式メモ台によれば、長尺部材の長さを適宜設定することにより、メモ台本体が収納部に収納されるときに収納部の底部に衝突してしまうことを防止することができる。
【００２９】
ところで、請求項４に記載の収納式メモ台では、メモ台本体を収納部に収納する際に、巻取用付勢部材によってメモ台本体の落下速度を抑制することができるが、その落下速度は、メモ台本体の重量と巻取用付勢部材の付勢力とによって決まるので、メモ台本体の重量が大きいときや、巻取用付勢部材の付勢力が小さいときには、巻取用付勢部材だけでメモ台本体の落下速度を充分に抑制することができないことがある。
【００３０】
そして、巻取用付勢部材がメモ台本体の落下速度を充分に抑制することができない場合には、メモ台本体が収納部に収納されたとき（即ち、長尺部材が伸びきったとき）に生じる衝撃音が大きくなってしまい、使用者に不快感を与えてしまうことがある。
【００３１】
そこで、請求項４に記載の収納式メモ台は、請求項５に記載のように、巻取装置の巻取部材に取り付けられ、巻取部材が長尺部材を巻き取る方向とは逆方向に回転する際の巻取部材の回転を抑制する回転抑制部材を備えていると良い。
【００３２】
これによれば、メモ台本体を収納部に収納する際に、メモ台本体の落下速度を充分に抑制することができるので、メモ台本体が収納部に収納されたときに生じる衝撃音を小さくすることができると共に、巻取装置にかかる負担を軽減することができる。
【００３３】
また、請求項１〜５の何れかに記載の収納式メモ台は、請求項６に記載のように、支持部材及び連結部材とスライドレールとの係合部に、回転ローラを備えていると良い。
このようにすれば、メモ台本体を収納部へ挿入したり、メモ台本体を収納部から引き出したりすることを、スムーズに行うことができる。
【００３４】
次に、請求項７に記載の発明は、着座者が座るための座部と、床面に設置され、座部を略水平に支持するための椅子本体と、椅子本体に支持され、座部に座った着座者が背を凭れるための背凭れ部と、を備えた背凭れ付き椅子であって、請求項１ないし請求項６の何れか１項に記載の収納式メモ台が、背凭れ部の背後に取り付けられていることを特徴としている。
【００３５】
このような請求項７に記載の背凭れ付き椅子によれば、その背凭れ部に本発明の収納式メモ台が取り付けられているため、当該背凭れ付き椅子の後方に別の椅子を設ければ、その椅子に座った人は、その着座者の前方に配置されることとなる本発明の収納式メモ台（即ち、当該背凭れ付き椅子に取り付けられた収納式メモ台）を使用することができる。
【００３６】
また、その収納式メモ台は、上述した請求項１〜請求項６について述べた効果と同様の効果を得ることができるので、請求項７に記載の背凭れ付き椅子の後ろに配置される椅子に座った人は、メモ台本体をスムーズに収納することができ、請求項７に記載の背凭れ付き椅子の使い勝手が良くなる。
【００３７】
次に、請求項８に記載の発明は、椅子を備えた高さの異なる複数段の床台からなり、収納時には、最上段の床台の下方に、他の各床台が順に重なるように収納され、使用時には、最下段の床台が引き出されることにより、各床台が順に展開されて階段状の観覧席を構成する伸縮展開式の移動観覧席において、椅子は、請求項７に記載の背凭れ付き椅子であり、その前方が、前記床台が引き出される方向を向くように配置されていることを特徴としている。
【００３８】
このような請求項８に記載の移動観覧席によれば、各椅子の背凭れ部に本発明の収納式メモ台が取り付けられているので、当該移動観覧席の使用時に、所定の床台に設けられた椅子に座った人は、その床台の一段下に配置される床台において、その人の前方に配置される椅子の収納式メモ台を使用することができる。
【００３９】
また、その収納式メモ台は、上述した請求項１〜６について述べた効果と同様の効果をできることができるので、請求項８に記載の移動観覧席の椅子に座った人は、メモ台本体をスムーズに収納することができ、移動観覧席の使い勝手が良くなる。
【００４０】
また、請求項８に記載の移動観覧席は、請求項９に記載のように、背凭れ付き椅子が、背凭れ部を座部に対して折り畳み可能に構成され、床台とそれに隣接する上下段の床台との上下方向の間隔が、背凭れ部が座部に対して折り畳まれた状態の背凭れ付き椅子の高さ分だけ開いているようにされていると良い。
【００４１】
このようにすれば、前後の床台における上下方向のスペースを小さくすることができる。
また、請求項８に記載の移動観覧席は、請求項１０に記載のように、背凭れ付き椅子が、座部を背凭れ部に対して折り畳み可能に構成されると共に、椅子本体を床台に対して折り畳み可能に構成され、床台とそれに隣接する上下段の床台との上下方向の間隔が、座部が背凭れ部に対して折り畳まれ、且つ、椅子本体が床台に対して折り畳まれた状態の背凭れ付き椅子の高さ分だけ開いているようにされていると良い。
【００４２】
このようにすれば、前後の床台における上下方向のスペースを、請求項９に記載の移動観覧席よりも更に小さくすることができる。
【発明を実施するための最良の形態】
【００４３】
以下、本発明の実施形態について、図面を用いて説明する。なお、図１は背凭れ付き椅子１の側面図であり、図２は背凭れ付き椅子１の平面図であり、図３（ａ）は背凭れ付き椅子１の正面図であり、図３（ｂ）は背凭れ付き椅子１の背面図である。
【００４４】
図１〜図３に示すように、本実施形態の背凭れ付き椅子１（以下、単に「椅子１」ともいう）は、床面に対して横方向（図２における上下方向）に並んで立設された３つの脚体１ａと、各脚体１ａの間に配設され、人が座るための座部１ｂと、各脚体１ａの間に固設され、座部１ｂに座った人が背を凭れるための背凭れ部１ｃと、を備えており、前後方向（図１及び図２における左右方向）に複数（本実施形態では２つ）並んで配置されている。
【００４５】
脚体１ａには、当該椅子に座った人が肘を掛けるための肘掛け１ｄが取り付けられている。
座部１ｂは、脚体１ａに取り付けられた支持軸１ｅを介して、その着座面が略水平方向に仰向けとなる水平状態（使用状態）から略直立した垂直状態へと回動可能となるように、当該座部１ｂを挟んで配置された脚体１ａに支持されている。なお、座部１ｂは、支持軸１ｅを中心として、その着座面が水平状態から垂直状態へと回転する方向（即ち、図１でいう時計回りに回転する方向）に付勢されており、当該座部１ｂに座っている人が立ち上がったときに、その着座面が水平状態から垂直状態となるように、自動で回転するようにされている。
【００４６】
一方、各背凭れ部１ｃの背後には、その後方に配置される椅子１に座る人が使用するための収納式メモ台２が、それぞれ取り付けられている。
収納式メモ台２は、図１〜図３に示すように、板状のメモ台本体１０が、その使用面１０ａが略直立した状態で、上方から収納部２０に収納可能となるようにされている。
【００４７】
また、収納式メモ台２は、図１に示すように、収納部２０に収納された状態のメモ台本体１０を収納部２０から引き出して、そのメモ台本体１０を、その使用面１０ａが略水平方向に仰向けとなる水平状態となるまで回転させることで使用することができ、逆に、使用状態にあるメモ台本体１０を、所定の高さ位置まで持ち上げるだけで、その後メモ台本体１０が自動で収納部２０に収納されるように構成されている。
【００４８】
次に、本発明の収納式メモ台２の構成について、図４及び図５を用いて詳しく説明する。なお、図４は、図３（ｂ）のＡ−Ａ’における断面図であり、図５は、収納式メモ台２の構成を表す分解斜視図である。
【００４９】
図４及び図５に示すように、収納式メモ台２は、板状のメモ台本体１０と、椅子１の背凭れ部１ｃの背後に取り付けられ、メモ台本体１０を、その使用面１０ａが略直立した状態で上方から収納可能な収納部２０と、収納部２０の内部にてその上下方向に沿って配置されたスライドレール３０と、スライドレール３０に摺動自在に支持されると共に、メモ台本体１０が収納部２０から引き出された際に、そのメモ台本体１０の使用面１０ａが垂直状態から水平状態へと回動可能となるよう、メモ台本体１０の一端側を支持する支持部材４０と、を備えている。
【００５０】
収納部２０は、背凭れ部１ｃの背後に取り付けられ、背凭れ部１ｃの背面のほぼ全体を囲むようにその各辺に沿って枠部２２ａ〜２２ｄが形成された略四角形の枠体２２を備える。
【００５１】
枠体２２を形成する４つの枠部２２ａ〜２２ｄのうち、上方の枠部２２ａは、他の３つの枠部２２ｂ〜２２ｄよりも板厚（椅子１の前後方向の板厚）が薄くなるようにされている。
【００５２】
枠部２２ａ〜２２ｄのうち、左右一対の枠部２２ｂ，２２ｃは、収納部２０の側壁であり、各枠部２２ｂ，２２ｃの内壁には、スライドレール３０がそれぞれ形成されている。
また、枠部２２ｂ，２２ｃの上方には、枠部２２ａとの連結部分よりも椅子１側とは反対側で且つ枠部２２ａよりも下方に配置されて、各枠部２２ｂ，２２ｃを連結する梁部２２ｅが、枠部２２ａに対して平行となるように設けられている。
【００５３】
これにより、枠体２２には、枠部２２ａ，２２ｂ，２２ｃ及び梁部２２ｅによって、メモ台本体１０を内部に挿入するための挿入口２２ｆが形成される。
一方、枠部２２ａ〜２２ｄのうち、下方の枠部２２ｄには、椅子１側を切り欠いた溝部が形成されており、枠体２２が背凭れ部１ｃに取り付けられることで、その溝部が、挿入口２２ｆから当該収納部２０の内部に侵入した部材を床面に落とすための排出口２２ｇとなる。
【００５４】
また、枠部２２ｄには、挿入口２２ｆから当該収納部２０の内部に侵入した部材を排出口２２ｇへ導くための板部材２２ｈが、取り付けられており、板部材２２ｈは、排出口２２ｇに向かって傾斜している。
【００５５】
次に、枠体２２には、枠部２２ｂ，２２ｃ，２２ｄ及び梁部２２ｅにより囲まれた部分が外部から見えてしまうのを防止するための壁板２４が取り付けられている。
また、枠体２２の上方には、枠部２２ａに沿って配置され、その両端が椅子１側とは反対側に突出したカバー部材２６が取り付けられている。
【００５６】
なお、本実施形態において、壁板２４は、枠部２２ｂ，２２ｃ及び背凭れ部１ｃと共に、収納部の側壁となる。また、カバー部材２６は、収納部２０の上方からスライドレール３０が見えてしまうのを防止すると共に、メモ台本体１０が挿入口２２ｆから抜けてしまうのを防止するためのものである。
【００５７】
メモ台本体１０は、矩形状に形成された板材であり、その４つの側面（使用面１０ａ及びその裏面に直交する面）のうち、向かい合う１組の側面には、その一端側に略円柱状の支柱１２がそれぞれ取り付けられている。
【００５８】
また、メモ台本体１０には、支柱１２が取り付けられた一端側から、メモ台本体１０の板面方向に沿って外側に突出され、その先端が裏面側から使用面１０ａ側に向かって湾曲するように形成された湾曲部材１４が設けられている。
【００５９】
支持部材４０は、長尺状に形成されており、メモ台本体１０の支柱１２が取り付けられた両側面に、それぞれ配置されている。そして、支持部材４０の各々は、メモ台本体１０が支柱１２の中心軸を中心として回動可能となるように、その長手方向の一端側（図５でいう上側）が各支柱１２に接続されている。
【００６０】
また、各支持部材４０には、スライドレール３０との対応位置に回転ローラ４２が２つずつ取り付けられており、支持部材４０は、その回転ローラ４２を介してスライドレール３０に摺動自在に係合している。
【００６１】
また、支持部材４０には、各回転ローラ４２の間に配置され、支柱１２の中心軸に平行となるように、内側（メモ台本体１０との接続面側）に突出した略円柱状の支柱４０ａが形成されている。
【００６２】
また、各支持部材４０には、長尺状に形成されて巻き取り可能な板バネ４４ａ、板バネ４４ａをその一端側から巻き取るための巻取部材４４ｂ、及び、巻取部材４４ｂを巻き取る方向に付勢する巻取用付勢部材（図示せず）からなる巻取装置４４が取り付けられている。
【００６３】
具体的に説明すると、巻取装置４４は、巻取部材４４ｂが、支柱４０ａの中心軸を中心として回動可能となるように、各支柱４０ａに取り付けられており、板バネ４４ａの他端側が、梁部２２ｅに取り付けられる。また、本実施形態において、板バネ４４ａの長さは、収納部２０の上下方向の長さよりも短くなるようにされている。
【００６４】
また、巻取部材４４ｂのうちの一方（本実施形態では、図５における左側の巻取部材４４ｂ）には、巻取装置４４が板バネ４４ａを巻き取る方向とは逆方向に回転する際の巻取部材４４ｂの回転を抑制する回転抑制部材としてのオイルダンパ４６が取り付けられている。
【００６５】
オイルダンパ４６は、周知のロータリ式のオイルダンパであり、オイルが内蔵されている本体４６ａと、本体４６ａ内を回転すると共にこの本体４６ａから突出した図示しない回転軸とを備え、回転軸は、巻取部材４４ｂの回転に応じて回転するように、巻取部材４４ｂに固設されている。そして、オイルダンパ４６は、巻取部材４４ｂが回転した際に、回転軸が本体４６ａ内のオイルの抵抗を受けることによって、巻取部材４４ｂの回転を抑制する。
【００６６】
一方、各支柱４０ａの付け根部分は、連結部材４８を介して互いに連結されており、連結部材４８には、２つのコイルバネ５０の各一端５０ａが、それぞれ接続されている。
各コイルバネ５０の一端５０ａは、連結部材４８の中央部分に固定されており、他端５０ｂは、円柱状の丸棒部材５２に取り付けられている。そして、丸棒部材５２は、その曲面が、湾曲部材１４の先端と後端との間を摺動自在となるように、湾曲部材１４におけるメモ台本体１０の使用面１０ａ側の面に配置されている。
【００６７】
なお、本実施形態において、コイルバネ５０の弾性力は、メモ台本体１０が、使用状態から図４でいう反時計回りに所定角度だけ回転したときに（後述の図６（ｂ）参照）、メモ台本体１０が図４でいう反時計回りに自動で回転するように設定されている。
【００６８】
次に、本実施形態の収納式メモ台２において、収納部２０に収納された状態のメモ台本体１０を使用位置Ｘａにセットするまでの手順、及び、使用位置Ｘａにあるメモ台本体１０を収納部２０に収納する手順について、図６を用いて説明する。なお、図６は、収納部２０に収納された状態のメモ台本体１０を使用位置Ｘａにセットするまでの手順、及び、使用位置Ｘａにあるメモ台本体１０を収納部２０に収納する手順を説明する説明図であり、図６（ａ）は、メモ台本体１０が使用位置Ｘａにあるときの収納式メモ台２を表す模式図であり、図６（ｂ）は、メモ台本体１０が使用位置Ｘａから所定角度だけ傾斜した傾斜位置Ｐａにあるときの収納式メモ台２を表す模式図であり、図６（ｃ）は、メモ台本体１０が垂直位置Ｙａにあるときの収納式メモ台２を表す模式図である。また、図６は、本発明の特徴部分だけを模式的に表したものであり、巻取装置４４やオイルダンパ４６等の記載は省略している。
【００６９】
本実施形態の収納式メモ台２において、使用者（即ち、椅子１に座った人）がメモ台本体１０を使用する際には、収納部２０に収納されている状態のメモ台本体１０を、図６（ｃ）に示すように収納部２０から引き出し、図６でいう時計回りに回転させる。
【００７０】
すると、図６（ａ）に示すように、メモ台本体１０が使用位置Ｘａ（即ち、メモ台本体１０の使用面１０ａが水平状態となる位置）まで回転したところで、メモ台本体１０の使用面１０ａ側（詳しくは、メモ台本体１０に取り付けられた湾曲部材１４）が枠部２２ａに当接し、メモ台本体１０の裏面側が梁部２２ｅに当接するので、メモ台本体１０は、使用位置Ｘａで収納部２０により保持される。
【００７１】
これにより、使用者は、メモ台本体１０を使用することができる。
一方、使用位置Ｘａにあるメモ台本体１０を収納部２０に収納する際には、図６（ｂ）に示すように、支柱１２を中心として図６でいう時計回りに働くメモ台本体１０の回転力よりも、支柱を中心として図６でいう反時計回りに働くメモ台本体１０の回転力の方が大きくなる傾斜位置Ｐａまで、メモ台本体１０を持ち上げる。
【００７２】
すると、メモ台本体１０は、その傾斜位置Ｐａから垂直位置Ｙａまで自動で回転する。
ここで、丸棒部材５２（コイルバネ５０の他端５０ｂ）は、メモ台本体１０が図６でいう時計回りに回転すると、その回転に伴い、湾曲部材１４の後端側から先端側へ向かって移動する。また、本実施形態において、湾曲部材１４の湾曲している部分の形状は、丸棒部材５２が湾曲部材１４のどの位置にあったとしても、コイルバネ５０がメモ台本体１０に与える付勢力がほぼ均一となるように設計されている。
【００７３】
その後、垂直位置Ｙａまで移動したメモ台本体１０は、支持部材４０がスライドレール３０を摺動することによって、下方へスライドし、収納部２０に収納される。
以上説明したように、本実施形態では、メモ台本体１０が、収納部２０から引き出されて使用位置Ｘａにあるときに、支柱１２を中心として、使用位置Ｘａから垂直位置Ｙａへと回転する方向（図６でいう反時計回りの方向）に回転すると、丸棒部材５２が、メモ台本体１０の回転に従い、湾曲部材１４の後端から先端へ向かって移動するので、コイルバネ５０がメモ台本体１０に与える付勢力が、その回転に伴い小さくなってしまうのを抑制することができる。
【００７４】
このため、本実施形態の収納式メモ台２によれば、ほぼ均一の力でメモ台本体１０をスムーズに持ち上げる（メモ台本体１０が使用位置Ｘａから垂直位置Ｙａへと回転する方向に回転させる）ことができ、コイルバネ５０がメモ台本体１０に与える付勢力を適宜設定することにより、メモ台本体１０を収納部２０に収納する際に、所望の位置からメモ台本体１０を、使用位置Ｘａから垂直位置Ｙａへと回転する方向へ自動で回転させることができる。
【００７５】
よって、使用者によるメモ台本体１０の収納作業時に、所望の位置にてメモ台本体１０を自動で回転させると共に、その際のメモ台本体１０の回転移動をスムーズにさせることができる。
【００７６】
また、本実施形態の収納式メモ台２によれば、メモ台本体１０を収納部２０に収納する際に、例えばメモ台本体１０に置かれていたペンや紙等の部材が収納部２０内に侵入してしまったとしても、その部材が収納部２０内に残ることなく排出口２２ｇから出てくるので、収納部２０内に侵入してしまった部材が捕れなくなってしまうことを防止することができる。
【００７７】
また、本実施形態の収納式メモ台２では、巻取装置４４を設けて、メモ台本体１０が収納部２０内を落下したときに、巻取装置４４が、板バネ４４ａの伸びきったところでメモ台本体１０を停止するようにされているので、メモ台本体１０が収納部２０内を落下する距離を制限することができる。
【００７８】
このため、本実施形態によれば、板バネ４４ａの長さを適宜設定することにより、メモ台本体１０が収納部２０に収納されるときに収納部２０の底部に衝突してしまうことを防止することができる。
【００７９】
また、本実施形態では、オイルダンパ４６を備えているため、メモ台本体１０を収納部２０に収納する際に、メモ台本体１０の落下速度を充分に抑制することができる。このため、メモ台本体１０が収納部２０に収納されたときに生じる衝撃音を小さくすることができると共に、巻取装置４４にかかる負担を軽減することができる。
【００８０】
また、本実施形態では、回転ローラ４２を備えているため、メモ台本体１０を収納部２０へ挿入したり、メモ台本体１０を収納部２０から引き出したりする作業を、スムーズに行うことができる。
【００８１】
一方、本実施形態の椅子１によれば、その背凭れ部１ｃに本発明の収納式メモ台２が取り付けられているため、当該椅子１の後方に配置された椅子１に座った人は、その着座者の前方に配置されることとなる収納式メモ台２を使用することができる。
【００８２】
また、椅子１に座った人は、メモ台本体２をスムーズに収納することができるので、椅子１の使い勝手が良くなる。
また、本実施形態の椅子１によれば、使用者が席を離れる際に、椅子１の座部１ｂが、その着座面が垂直状態となるように自動で回転するため、使用者は、より早く席を離れることができる。
【００８３】
なお、本実施形態では、背凭れ付き椅子１が基部に相当し、脚体１ａが椅子本体に相当し、コイルバネ５０が付勢部材に相当している。また、板バネ４４ａが長尺部材に相当し、オイルダンパ４６が回転抑制部材に相当している。
【００８４】
以上、本発明の一実施形態について説明したが、本発明は、種々の形態を採り得ることは言うまでもない。
例えば、本実施形態では、背凭れ付き椅子１の背凭れ部１ｃに収納式メモ台２を取り付けていたが、これに限らず、例えば、床面において、椅子１の前に基部を取り付け、その基部に収納式メモ台２を取り付けるようにしても良い。
【００８５】
また、本実施形態の収納式メモ台２は、図７に示すように、移動観覧席の床台６０に設けられる背凭れ付き椅子３（以下、椅子３という）の背凭れ部３ｃの背後に取り付けられていても良い。なお、図７において、上記実施形態と同様の構成については、同じ符号を付しているため、詳細な説明は省略する。
【００８６】
具体的に説明すると、図７の移動観覧席は、椅子３を備えた高さの異なる複数段の床台６０からなり、収納時には、最上段の床台６０の下方に他の床台６０が順に重なるように収納され、使用時には、最下段の床台が引き出されることにより、各床台６０が順に展開されて階段状の観覧席を構成する伸縮展開式のものである。
【００８７】
椅子３は、床台６０に立設された脚体３ａ（本発明の椅子本体に相当）と、脚体３ａに支持されて人が座るための座部３ｂと、脚体３ａに支持され、座部３ａに座った人が背を凭れるための背凭れ部３ｃとを備え、座部３ｂを背凭れ部３ｃに対して折り畳み可能に構成されると共に、脚体３ａを床台６０に対して折り畳み可能に構成されている。
【００８８】
一方、床台６０とそれに隣接する上下段の床台６０との上下方向の間隔の各々は、座部３ｂが背凭れ部３ｃに対して折り畳まれ、且つ、椅子本体３ｂが床台６０に対して折り畳まれた状態の椅子３の高さ分だけ開いているようにされている。
【００８９】
以上のような図７の移動観覧席では、全ての床台６０が収納されている状態から、最下段の床台６０を椅子３の前方に向かって移動させることで、各床台６０を階段状に配列して使用することができ、その配列した使用状態から、座部３ｂを背凭れ部３ｃに対して折り畳むと共に、脚体３ａを床台６０に対して折り畳んだ後、各床台６０を椅子３の後方に向かって移動させることで、各床台６０を棚状に収納することができる。
【００９０】
以上のような図７の移動観覧席によれば、各椅子３の背凭れ部３ｃに本発明の収納式メモ台２が取り付けられているので、当該移動観覧席の使用時に、所定の床台６０に設けられた椅子３に座った人は、その床台６０の一段下に配置される床台６０において、その人の前方に配置される椅子３の収納式メモ台２を使用することができる。
【００９１】
また、移動観覧席の椅子３に座った人は、メモ台本体１０をスムーズに収納することができるので、移動観覧席の使い勝手が良くなる。
【図面の簡単な説明】
【００９２】
【図１】実施形態の背凭れ付き椅子の側面図である。
【図２】同実施形態の背凭れ付き椅子の平面図である。
【図３】同実施形態の背凭れ付き椅子の正面図及び背面図である。
【図４】図３（ｂ）のＡ−Ａ’における断面図である。
【図５】実施形態の収納式メモ台の構成を表す分解斜視図である。
【図６】収納部に収納された状態のメモ台本体を使用位置にセットするまでの手順、及び、使用位置にあるメモ台本体を収納部に収納する手順を説明する説明図である。
【図７】実施形態の移動観覧席の側面図である。
【図８】従来の収納式メモ台の側面図である。
【図９】従来の収納式メモ台を説明する説明図である。
【符号の説明】
【００９３】
１，３…背凭れ付き椅子、１ａ，３ａ…脚体、１ｂ，３ｂ…座部、１ｃ，３ｃ…背凭れ部、２…収納式メモ台、１０…メモ台本体、１０ａ…使用面、１２…支柱、１４…湾曲部材、２０…収納部、２２…枠体、２２ａ〜２２ｄ…枠部、２２ｅ…梁部、２２ｆ…挿入口、２２ｇ…排出口、２２ｈ…板部材、２４…壁板、２６…カバー部材、３０…スライドレール、４０…支持部材、４０ａ…支柱、４２…回転ローラ、４４…巻取装置、４４ａ…板バネ、４４ｂ…巻取部材、４６…オイルダンパ、４６ａ…本体、４８…連結部材、５０…コイルバネ、５２…丸棒部材、６０…床台、Ｐａ…傾斜位置、Ｘａ…使用位置、Ｙａ…垂直位置。
【図１】
2007007329.tif 000003
【図２】
2007007329.tif 000004
【図３】
2007007329.tif 000005
【図４】
2007007329.tif 000006
【図５】
2007007329.tif 000007
【図６】
2007007329.tif 000008
【図７】
2007007329.tif 000009
【図８】
2007007329.tif 000010
【図９】
2007007329.tif 000011